(57)【要約】      （修正有）【課題】仕切られた区画間における音漏れ及び光漏れを確実に防止できるようにした移動間仕切装置を提供する。【解決手段】天井面Ｒに配設されたレール４に沿って走行可能に吊支された間仕切パネルを複数有しており、間仕切パネルの停止時、閉塞部材６，７を天井面Ｒ及び床面Ｆに向けて移動させるようにした移動間仕切装置であって、間仕切りパネル同士を直交させてレイアウトする際に、第１の間仕切パネルのパネル面２ａに第２の間仕切パネル２Ｂの接合端面２ｂを当接できるようになっており、少なくとも第２の間仕切パネル２Ｂは、第１の間仕切パネルの閉塞部材６，７とパネル材５１との間に形成される段部６０，６１内に移動可能な突出部材２１，２１を備えており、突出部材２１，２１は、第２の間仕切りパネル２Ｂの進退機構２８による閉塞部材１６，１７の進出動作に連動して移動する。【選択図】図９
2015148097.tif 000002
【特許請求の範囲】
【請求項１】
パネル材を表裏に備えたパネル本体の上下端部に進退機構により天井面及び床面に向けて移動可能な閉塞部材がそれぞれ収納され、天井面に配設されたレールに沿って走行可能に吊支された間仕切パネルを複数有しており、前記間仕切パネルの停止時、前記閉塞部材を天井面及び床面に向けて移動させるようにした移動間仕切装置であって、
間仕切りパネル同士を直交させてレイアウトする際に、第１の間仕切パネルのパネル面に第２の間仕切パネルの接合端面を当接できるようになっており、
少なくとも前記第２の間仕切パネルは、前記第１の間仕切パネルの閉塞部材と前記パネル材との間に形成される段部内に移動可能な突出部材を備えており、前記突出部材は、前記第２の間仕切りパネルの進退機構による前記閉塞部材の進出動作に連動して移動することを特徴とする移動間仕切装置。
【請求項２】
前記閉塞部材の進出動作における前記閉塞部材の進出量に対する前記突出部材の進出量の割合は、前記閉塞部材の進移動の前期よりも後期の方が大きくなっていることを特徴とする請求項１に記載の移動間仕切装置。
【請求項３】
上下の前記閉塞部材は上下方向を向く溝部を有しており、上方の前記突出部材はその上面が、下方の前記突出部材はその下面が、上下の前記閉塞部材の上面及び下面とそれぞれ面一となるように前記溝部内に配置されていることを特徴とする請求項１または２に記載の移動間仕切装置。
【請求項４】
上下の前記閉塞部材は上下方向を向く溝部を有しており、前記溝部内に前記進退機構による前記閉塞部材の動きを前記突出部材の動きに変換する連動機構が内装されていることを特徴とする請求項１ないし３のいずれかに記載の移動間仕切装置。
【発明の詳細な説明】
【技術分野】
【０００１】
本発明は、オフィスや大会場、会議室等を所定の区画に仕切って使用するための移動間仕切装置に関する。
【背景技術】
【０００２】
オフィスや会議室・病院・宴会場等の室内空間を用途に合わせて区画して使用する場合に、天井面に固定されたレールに沿って移動可能に吊支される間仕切パネルが用いられており、パネル本体内部における上端及び下端にそれぞれ収納された塞ぎ部材をパネル本体内部に設けられた進退機構により上下に進出させて、天井面及び床面に当接させることでパネル本体と天井面及び床面との空間を遮蔽して区画間の音漏れ及び光漏れを防止するものがある（例えば特許文献１）。
【先行技術文献】
【特許文献】
【０００３】
【特許文献１】特開２００９−１０８６６２号公報（第５頁、第６図）
【発明の概要】
【発明が解決しようとする課題】
【０００４】
室内空間を細かく区画する場合等には、一方の間仕切パネルのパネル面に他方の間仕切りパネルの接合端面を直交させて平面視Ｔ字状に配置する場合がある。しかしながら、上記特許文献１にあるような間仕切りパネルにあっては、上端及び下端の塞ぎ部材がパネル本体内部に収納可能となっており、進出時の塞ぎ部材がパネル本体の内側に位置する構造となり、塞ぎ部材と表裏のパネル材との間には段部が形成されることになる。
そのため、一方の間仕切パネルのパネル面に他方の間仕切りパネルの接合端面を直交させて配置し、塞ぎ部材を進出させた場合、一方の塞ぎ部材に対して他方の塞ぎ部材の先端が当接せず、塞ぎ部材間に隙間が形成されてしまい、区画間の音漏れ及び光漏れを十分に防止することができなかった。
【０００５】
本発明は、このような問題点に着目してなされたもので、仕切られた区画間における音漏れ及び光漏れを確実に防止できるようにした移動間仕切装置を提供することを目的とする。
【課題を解決するための手段】
【０００６】
前記課題を解決するために、本発明の移動間仕切装置は、
パネル材を表裏に備えたパネル本体の上下端部に進退機構により天井面及び床面に向けて移動可能な閉塞部材がそれぞれ収納され、天井面に配設されたレールに沿って走行可能に吊支された間仕切パネルを複数有しており、前記間仕切パネルの停止時、前記閉塞部材を天井面及び床面に向けて移動させるようにした移動間仕切装置であって、
間仕切りパネル同士を直交させてレイアウトする際に、第１の間仕切パネルのパネル面に第２の間仕切パネルの接合端面を当接できるようになっており、
少なくとも前記第２の間仕切パネルは、前記第１の間仕切パネルの閉塞部材と前記パネル材との間に形成される段部内に移動可能な突出部材を備えており、前記突出部材は、前記第２の間仕切りパネルの進退機構による前記閉塞部材の進出動作に連動して移動することを特徴としている。
この特徴によれば、第２の間仕切りパネルの接合端面を第１の間仕切パネルのパネル面に直交させてレイアウトする際には、第１の間仕切パネルと第２の間仕切パネルそれぞれの進退機構の進出動作により、上下端部から閉塞部材が天井面及び床面に向けて進移動され、それぞれのパネル本体と天井面及び床面との空間を遮蔽する。さらに、第２の間仕切パネルの進退機構による閉塞部材の移動に連動して突出部材が移動し、この突出部材により第１の間仕切パネルの閉塞部材と前記パネル材との間に形成される段部の空間が塞がれるため、第１の間仕切パネルと第２の間仕切パネルとにより仕切られた区画間における音漏れ及び光漏れを確実に防止することができる。
【０００７】
前記閉塞部材の進出動作における前記閉塞部材の進出量に対する前記突出部材の進出量の割合は、前記閉塞部材の進移動の前期よりも後期の方が大きくなっていることを特徴としている。
この特徴によれば、突出部材は閉塞部材の進移動の前期よりも後期の方が大きく進出するため、突出部材が、閉塞部材の進移動に伴いパネル材と干渉することなく、第１の間仕切パネルの閉塞部材とパネル材との間に形成される段部の空間内に確実に移動させて音漏れ及び光漏れを防止することができる。
【０００８】
上下の前記閉塞部材は上下方向を向く溝部を有しており、上方の前記突出部材はその上面が、下方の前記突出部材はその下面が、上下の前記閉塞部材の上面及び下面とそれぞれ面一となるように前記溝部内に配置されていることを特徴としている。
この特徴によれば、上方の閉塞部材の上面及び下方の閉塞部材の下面と、上下の突出部材はその上面及び下面とがそれぞれ面一であるため、第１の間仕切パネルの閉塞部材とパネル材との間に形成される段部内を確実に塞ぐことができる。
【０００９】
上下の前記閉塞部材は上下方向を向く溝部を有しており、前記溝部内に前記進退機構による前記閉塞部材の動きを前記突出部材の動きに変換する連動機構が内装されていることを特徴としている。
この特徴によれば、閉塞部材の溝部内に突出部材と連動機構が内装されることで閉塞部材と突出部材とが互いに近くに位置することになり、閉塞部材の動きが効率よく突出部材に伝達されるため、確実に突出部材を移動させることができる。
【図面の簡単な説明】
【００１０】
【図１】実施例における第１の間仕切パネルを示す断面概念図である。
【図２】第１の間仕切パネルを示す側面図である。
【図３】第１の間仕切パネルのパネル面に対して第２の間仕切パネルの接合端面を直交させる様子を示す断面概念図である。
【図４】連動機構の構造を示す拡大部分概念図である。
【図５】連動機構による閉塞部材の前期の動きが突出部材の動きに変換される際の様子を示す拡大部分概念図である。
【図６】連動機構による閉塞部材の動きの前期と後期の境における突出部材の動きを示す拡大部分概念図である。
【図７】連動機構による閉塞部材の動きの後期における突出部材の動きを示す拡大部分概念図である。
【図８】第２の間仕切パネルの閉塞部材を進移動させる様子を示す断面概念図である。
【図９】突出部材が第１の間仕切パネルの閉塞部材とパネル材との間に形成される段部内に移動する前の状態を示す断面概念図である。
【図１０】突出部材が第１の間仕切パネルの閉塞部材とパネル材との間に形成される段部内に移動を完了した状態を示す断面概念図である。
【発明を実施するための形態】
【００１１】
本発明に係る移動間仕切装置を実施するための形態を実施例に基づいて以下に説明する。
【実施例】
【００１２】
実施例に係る移動間仕切装置につき、図１から図１０を参照して説明する。図３に示される移動間仕切装置１は、オフィスや大会場、会議室等の室内空間を区画するものである。この移動間仕切装置１は、室内空間の天井面Ｒに架設されたレール４に吊支され、レール４によって形成される移動経路に沿って順次間仕切位置に移動させられる間仕切パネル２により室内を仕切ることができるようになっている。
【００１３】
本実施例においては、特に室内空間を細かく区画する際等において、一方の間仕切パネルのパネル面に他方の間仕切りパネルの接合端面を直交させて平面視Ｔ字状に配置する場合について説明する。尚、一方の間仕切パネルを第１の間仕切パネル２Ａとし、この第１の間仕切パネル２Ａのパネル面２ａに直行させる他方の間仕切りパネルを第２の間仕切パネル２Ｂとして説明する。
【００１４】
図１及び図２に示されるように、第１の間仕切パネル２Ａは、パネル本体５と後述する閉塞部材６，７とを備えている。パネル本体５は、枠体１２と枠体１２の表裏に固定されるパネル材５１，５１とから主に構成されているパネル本体５内には、後述する進退機構２８と、この進退機構２８により天井面Ｒ及び床面Ｆに向けてそれぞれ延出可能な閉塞部材６，７が収納されている。
【００１５】
図１及び図２に示されるように、パネル本体５は、垂直方向に延びる吊支部材３５，３５によりレール４に対して吊支されている。吊支部材３５，３５は、その下端が枠体１２に固定されており、パネル本体５の上端部よりも上方に突出した吊支部材３５，３５の上端部には、ローラ２４，２４がレール４上を走行自在に軸支されている。
【００１６】
また、パネル本体５の一方側の側部、すなわち隣接する間仕切パネルと接合される側の枠体１２には緩衝部材１０が固着されて接合端面２ｂを構成しており、接合される間仕切パネルとの衝突による衝撃を緩和するとともに、間仕切パネル間からの音漏れ及び光漏れを防止している。
【００１７】
更に、閉塞部材６，７における隣接する間仕切パネルの閉塞部材と接合される側の側部６ｂ，７ｂにも前記パネル本体５側の緩衝部材１０と面一の緩衝部材１４，１４が固着されており、閉塞部材６，７と隣接する間仕切パネルの閉塞部材間からの音漏れ及び光漏れを防止している。尚、パネル本体５側の緩衝部材１０には、閉塞部材６，７に固着された緩衝部材１４，１４と同幅の溝部１０ａが形成されており、緩衝部材１４，１４がこの溝部１０ａ内を上下動可能となっている。
【００１８】
図１に示されるように、パネル本体５内には、前記閉塞部材６，７を進退移動させる進退機構２８が備えられており、進退機構２８はパネル本体外部に軸通する駆動軸２９と、閉塞部材６の下面及び閉塞部材７の上面に固定され、閉塞部材６，７に進退移動力を伝達する進退軸装置３０，３０と、駆動軸２９の回転を進退軸装置３０，３０の進退移動に変換する機構部３１とを備えてなる。駆動軸２９の外部側端部２９ａには、六角穴等が形成されており、この外部側端部２９ａにクランクハンドル等の操作具５５が差し込まれ、手動または駆動機械により駆動軸２９が回転操作できるようになっている。
【００１９】
そして、この駆動軸２９の回転に従い進退軸装置３０，３０により閉塞部材６，７が天井面Ｒ及び床面Ｆに向けて移動され、閉塞部材６，７によりパネル５１，５１と天井面Ｒ及び床面Ｆとの間の空間が遮蔽され、第１の間仕切パネル２Ａにより仕切られた区画間の音漏れ及び光漏れが防止される。
【００２０】
第２の間仕切パネル２Ｂの構成は、以上説明した第１の間仕切パネル２Ａの構成と同様であるため、説明を省略する。図３に示されるように、第２の間仕切パネル２Ｂの上下には閉塞部材１６，１７が収納されている。
【００２１】
続いて閉塞部材１６，１７について説明するが、ここでは天井面Ｒに向けて延出する閉塞部材１６を例に取り、同様の構成である床面Ｆに向けて延出する閉塞部材１７の説明を省略する。図３及び図４に示されるように、閉塞部材１６における隣接する間仕切パネルの閉塞部材と接合される側の側部に前記パネル本体５側の緩衝部材１０と面一の緩衝部材２２が固着されており、この緩衝部材２２には開口部２２ａが設けられている。そして、この開口部２２ａとほぼ同じ寸法の緩衝部材２５を有する突出部材２１が開口部２２ａを通って進退移動可能となっている。
【００２２】
図４に示されるように、突出部材２１は、緩衝部材２５と芯材２６とからなり、連動機構２０により閉塞部材１６の上下方向の進退移動に連動されて、パネル本体５の接合端面２ｂ内外に水平方向に進退移動するようになっている。連動機構２０は、パネル本体５の内側面から突出した凸軸２７と、閉塞部材１６の内側面１６ｃに固定された誘導ピン３２と、誘導ピン３２が遊嵌される案内孔３３ａを有し凸軸２７に軸支された連動板３３と、一方端に連動板３３と回動可能に軸合される回転軸部２３ａを有し、他方端が突出部材２１の芯材２６と固定される棒状の軸部材２３と、この軸部材２３が進退移動可能に遊嵌され閉塞部材１６の内側面１６ｃに固定される支持部３４と、を備えている。
【００２３】
続いて、閉塞部材１６が前述した進退機構２８により天井面Ｒ方向に移動した際において、連動機構２０により閉塞部材１６の動きが突出部材２１の動きに変換される様子を図５から図７を用いて説明する。尚、図４の状態から図６まで閉塞部材１６が移動した状態を閉塞部材１６の移動の前期とし、図６の状態から図７まで閉塞部材１６が移動した状態を閉塞部材１６の移動の後期として以下に説明する。
【００２４】
まず、図５に示されるように、閉塞部材１６が進退機構２８により天井面Ｒ方向に移動されると、閉塞部材１６の内側面１６ｃに固定された誘導ピン３２が、パネル本体５の内側面から突出した凸軸２７に対して閉塞部材１６が移動した分だけ離間することになる。これにより、誘導ピン３２が案内孔３３ａに案内されることで連動板３３が凸軸２７を支点として回動するように作用する。
このとき、誘導ピン３２は閉塞部材１６の移動方向に対して浅い角度の傾斜を有する案内孔３３ａにおける第１テーパ部４０に案内されるため、連動板３３の回転量が少ない。尚、ここでいう第１テーパ部４０が有する傾斜角度は、誘導ピン３２が第１テーパ部４０に案内され始めた時点での閉塞部材１６の移動方向に対する傾斜角度である。このように連動板３３の回転量が少ないため、連動板３３と回転軸部２３ａにより軸合する軸部材２３の進移動量が少ない。言い換えると、誘導ピン３２が第１テーパ部４０に案内されている間は、閉塞部材１６の上下方向の移動量に対して突出部材２１の水平方向の移動量が少なくなっている。
【００２５】
続いて、図６に示されるように、更に閉塞部材１６が天井面Ｒ方向に移動されると、更に誘導ピン３２が、凸軸２７に対して閉塞部材１６が移動した分だけ離間し、連動板３３が凸軸２７を支点として回動するように作用する。このとき、誘導ピン３２は第１テーパ部４０に続く第２テーパ部４１に案内されるが、第２テーパ部４１の有する傾斜角度は、誘導ピン３２が第２テーパ部４１に案内され始めた時点での角度が第１テーパ部４０との傾斜角度とほぼ同角度、すなわち閉塞部材１６の移動方向に対して浅い角度である。そのため、誘導ピン３２が第２テーパ部４１に案内されている間は、閉塞部材１６の上下方向の移動量に対して突出部材２１の水平方向の移動量が少ない。
【００２６】
次いで、図７に示されるように、更に閉塞部材１６が天井面Ｒ方向に移動されると、更に誘導ピン３２が、凸軸２７に対して閉塞部材１６が移動した分だけ離間し、連動板３３が凸軸２７を支点として回動するように作用する。このとき、誘導ピン３２は第２テーパ部４１に続く第３テーパ部４２に案内されるが、第３テーパ部４２の有する傾斜角度は、誘導ピン３２が第３テーパ部４２に案内され始めた時点での角度が閉塞部材１６の移動方向に対して深い角度である。そのため、誘導ピン３２が第２テーパ部４１に案内されている間は、閉塞部材１６の上下方向の移動量に対して突出部材２１の水平方向の移動量が多い。
【００２７】
次に、上記したように移動する突出部材２１，２１と、第１の間仕切パネル２Ａの閉塞部材６，７とパネル材５１の上下端面との間に形成される段部６０，６１との関係について図８から図９を用いて説明する。先ず、図８に示されるように、第１の間仕切パネル２Ａのパネル面２ａに対して第２の間仕切パネル２Ｂの接合端面２ｂを直交移動させ、第１の間仕切パネル２Ａのパネル材５１に対して第２の間仕切パネル２Ｂの緩衝部材１０及び緩衝部材２２，２２を当接させる。そして、この状態で第２の間仕切パネル２Ｂの進退機構２８の駆動軸２９を操作具３２により回転させる。
【００２８】
図９に示されるように、駆動軸２９の回転に従い進退軸装置３０，３０により閉塞部材１６，１７が天井面Ｒ及び床面Ｆに向けて移動される。これにより前述した連動機構２０により閉塞部材１６の上下方向の動きが突出部材２１の水平方向の動きに変換され、突出部材２１，２１が段部６０，６１側に移動される。このとき、閉塞部材１６，１７が天井面Ｒ及び床面Ｆに十分に近接するまで、突出部材２１，２１の緩衝部材２５は、閉塞部材１６，１７の緩衝部材２２，２２より外方に突出しないようになっている。
【００２９】
そして、図１０に示されるように、閉塞部材１６，１７が天井面Ｒ及び床面Ｆに当接した時点で突出部材２１，２１の緩衝部材２５が第１の間仕切パネル２Ａの閉塞部材６，７に当接し、閉塞部材１６，１７によりパネル５１と天井面Ｒ及び床面Ｆとの間の空間が遮蔽される。突出部材２１，２１の緩衝部材２５の高さ寸法は、第１の間仕切パネル２Ａのパネル材５１と天井面Ｒ及び床面Ｆとの距離と略同じ寸法に設計されており、突出部材２１，２１の緩衝部材２５により閉塞部材６，７とパネル材５１との間に形成される段部６０，６１の空間が隙間なく遮蔽されることになる。
【００３０】
尚、ここでは図示しないが、突出部材２１，２１は進退機構２８による縦移動と、連動機構２０による横移動とにより斜めに移動されることになるため、突出部材２１，２１のは、閉塞部材１６，１７が天井面Ｒ及び床面Ｆに十分に近接した状態からの移動時に第１の間仕切パネル２Ａのパネル材５１に干渉して移動することになる。そのため、突出部材２１，２１の緩衝部材２５は、パネル材５１との干渉により変形した状態でパネル材５１を乗り越え、段部６０，６１内への移動完了までに弾性復帰するようにして段部６０，６１の空間が隙間なく遮蔽するようになっている。
【００３１】
上記したように、第２の間仕切りパネル２Ｂの接合端面２ｂを第１の間仕切パネル２Ａのパネル面２ａに直交させてレイアウトする際に、第１の間仕切パネル２Ａと第２の間仕切パネル２Ｂそれぞれの進退機構２８，２８の進出動作により、上下端部から閉塞部材６，７及び閉塞部材１６，１７が天井面Ｒ及び床面Ｆに向けて進移動され、それぞれのパネル本体５，５と天井面Ｒ及び床面Ｆとの空間を遮蔽する。さらに、第２の間仕切パネル２Ｂの進退機構２８による閉塞部材１６，１７の移動に連動して突出部材２１，２１が移動し、この突出部材２１，２１により、閉塞部材１６，１７の移動に伴いパネル材５１と干渉することなく、第１の間仕切パネルの閉塞部材２Ａとパネル材５１との間に形成される段部６０，６１の空間が塞がれるため、第１の間仕切パネル２Ａと第２の間仕切パネル２Ｂとにより仕切られた区画間における音漏れ及び光漏れを一連の操作で確実に防止することができる。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば、連動機構２０の構造は、閉塞部材１６，１７に接続され、進退機構２８によって移動される閉塞部材１６，１７の動きを変換するものに限らず、進退機構と連動機構とを接続する等して連動させ、閉塞部材と突出部材とを別体として別々に移動させるような構成であってもよい。
【符号の説明】
【００３４】
１                移動間仕切装置
２Ａ              第１の間仕切パネル
２Ｂ              第２の間仕切パネル
２ａ              パネル面
２ｂ              接合端面
４                レール
５                パネル本体
６，７            閉塞部材
１０              緩衝部材
１２              枠体
１４，１４        緩衝部材
１６，１７        閉塞部材
２０              連動機構
２１，２１        突出部材
２２，２２        緩衝部材
２３ａ            回転軸部
２３              軸部材
２４，２４        ローラ
２５              緩衝部材
２６              芯材
２７              凸軸
２８              進退機構
２９              駆動軸
３０，３０        進退軸装置
３１              機構部
３２              誘導ピン
３３ａ            案内孔
３３              連動板
３４              支持部
３５，３５        吊支部材
４０              第１テーパ部
４１              第２テーパ部
４２              第３テーパ部
５１，５１        パネル材
５５              操作具
６０，６１        段部
Ｆ                床面
Ｒ                天井面
【図１】
2015148097.tif 000003
【図２】
2015148097.tif 000004
【図３】
2015148097.tif 000005
【図４】
2015148097.tif 000006
【図５】
2015148097.tif 000007
【図６】
2015148097.tif 000008
【図７】
2015148097.tif 000009
【図８】
2015148097.tif 000010
【図９】
2015148097.tif 000011
【図１０】
2015148097.tif 000012